(57)【要約】【課題】伝送信号を含む多重信号を光ファイバ伝送し、光受信側で、該伝送信号と、この伝送信号をアップコンバートしてなるアップコンバート伝送信号とに分離する光ファイバ伝送装置において、伝送信号とアップコンバート伝送信号の各ＣＮ比を独立に調整し得るようにして、両者のＣＮ比を同時に最大化する。【解決手段】レーザ光源１からの搬送波Ａを光カプラ２において２つに分岐し、分岐された一方の搬送波Ａ１を第１光変調器３に入力し伝送信号Ｂにより変調して光変調信号Ｃを生成する。分岐された他方の搬送波Ａ２を第２光変調器４に入力し高周波信号Ｄにより変調して光副搬送波Ｆを生成する。これら光変調信号Ｃと光副搬送波Ｆとを合波して光多重信号Ｇを生成し、これを光ファイバ伝送する。光受信側では、分波器１０において、伝送信号Ｂに対応した電気信号Ｉと、アップコンバートされた伝送信号Ｂに対応した電気信号Ｊとに分離される。【選択図】　　　　　図１
2004072407.tif 000002
【特許請求の範囲】
【請求項１】
伝送信号を含む多重信号を光ファイバ伝送し、光受信側で該伝送信号と、この伝送信号がアップコンバートされてなるアップコンバート伝送信号とに分離する光ファイバ伝送装置において、
光源からの光波を複数に分岐する光波分岐手段と、
第１の光変調器を用い、前記光波分岐手段で分岐された光波のうちの少なくとも１つを前記伝送信号により変調して、光変調信号を生成する光変調信号生成手段と、
第２の光変調器を用い、前記光波分岐手段から出力されたその余の光波のうちの少なくとも１つを所定の周波数信号により変調して、光副搬送波を生成する光副搬送波生成手段と、
前記光変調信号生成手段により生成された光変調信号と前記光副搬送波生成手段により生成された光副搬送波とを合波して、光多重信号を生成する光多重信号生成手段とを備えてなり、
該光多重信号生成手段で生成された前記光多重信号を光ファイバ伝送することを特徴とする光ファイバ伝送装置。
【請求項２】
前記光副搬送波生成手段が、前記所定の周波数信号を発生させる電気信号発生器と、前記第２の光変調器から出力された光波から前記光副搬送波をろ波して出力する光フィルタとを含んでなることを特徴とする請求項１記載の光ファイバ伝送装置。
【請求項３】
光ファイバ伝送された前記光多重信号を電気信号に変換し、変換された該電気信号から前記伝送信号と前記アップコンバート伝送信号の少なくとも一方を分離して出力する第１の光受信手段を備えていることを特徴とする請求項１または２記載の光ファイバ伝送装置。
【請求項４】
光ファイバ伝送された前記光多重信号を光ファイバ伝送路内で複数に分岐する光多重信号分岐手段と、
該光多重信号分岐手段で分岐された光多重信号のうちの少なくとも１つを電気信号に変換し、変換された該電気信号から前記伝送信号のみを分離して出力する第２の光受信手段と、
前記光多重信号分岐手段から出力されたその余の光多重信号のうちの少なくとも１つを電気信号に変換し、変換された該電気信号から前記アップコンバート伝送信号のみを分離して出力する第３の光受信手段とを備えていることを特徴とする請求項１または２記載の光ファイバ伝送装置。
【発明の詳細な説明】
【０００１】
【発明の属する技術分野】
本発明は、映像信号等の伝送信号を光ファイバ伝送網により分配する光ファイバ伝送装置に関し、特に、光送信側において、光源からの光搬送波を伝送信号で変調した光変調信号と、該光搬送波を高周波信号で変調した光副搬送波とを多重して光ファイバ伝送し、光受信側において、上記伝送信号と高周波帯にアップコンバートされた伝送信号（アップコンバート伝送信号）の両方、あるいはどちらか一方を分離して出力するための光ファイバ伝送装置に関するものである。
【０００２】
【従来の技術】
従来、光／同軸ハイブリッドＣＡＴＶや光ＣＡＴＶ等に適用可能な技術の１つとして、光ファイバで送信されてきた映像信号等の伝送信号を、広い帯域が確保できるミリ波帯等に変換して無線伝送するＲａｄｉｏ　Ｏｎ　Ｆｉｂｅｒ（ＲＯＦ）技術が知られている。このＲＯＦ技術を用いた光ファイバ伝送装置のうち、映像信号などの伝送信号とミリ波帯の高周波信号の各々を光信号に変換した後、多重して光ファイバ伝送し、受信端で伝送信号と、ミリ波帯等にアップコンバートされた伝送信号の両方、あるいはどちらか一方を出力するようにした光ファイバ伝送装置がある。このような多重伝送タイプの光ファイバ伝送装置を用いれば、光受信側においては伝送信号をミリ波帯等に変換する設備が不要となるので、無線伝送方式の変更等に対応し易いなどの利点がある。
【０００３】
このような多重伝送タイプの従来の光ファイバ伝送装置について、図７を用いて説明する。図７は従来の光ファイバ伝送装置の一例を示す図である。
図７に示す従来の光ファイバ伝送装置では、まず、光送信側において、レーザ光源１０１で生成した周波数ｆｃの光波（光搬送波）ａと、電気信号発生器１０２で生成した直流バイアス付きの周波数ｆｍの高周波信号ｂとを光変調器１０３に入力して光信号ｃを生成する。このとき、この光信号ｃには、周波数ｆｃ＋ｎ×ｆｍ（ｎは整数）を持つ複数の周波数成分が含まれている。次いで、上記光信号ｃを光カプラ１０４に入力して、光信号ｃ１とｃ２とに２分岐する。
【０００４】
次に、分岐された一方の光信号ｃ１を光バンドパスフィルタ１０５に入力して光搬送波ｄを抜き出し、この光搬送波ｄと伝送信号ｅとを光変調器１０７に入力して光変調信号ｆを生成する。ここで光バンドパスフィルタ１０５の同調周波数は、光信号ｃに含まれる複数の周波数成分のうち一つを選択しておく。この同調周波数をｆｃ＋ｎ１×ｆｍ（ｎ１は所定の整数）とする。
【０００５】
一方、分岐された他方の光信号ｃ２を光バンドパスフィルタ１０６に入力して光副搬送波ｇを抜き出す。ここで光バンドパスフィルタ１０６の同調周波数は、光信号ｃ２に含まれる複数の周波数成分のうち、光搬送波ｄの周波数以外の一つを選択しておく。この同調周波数をｆｃ＋ｎ２×ｆｍ（ｎ２≠ｎ１）とする。
そして、光カプラ１０８を用いて光変調信号ｆと光副搬送波ｇとを合波して光多重信号ｈを生成し、これを光ファイバ伝送路１０９に送出する。
【０００６】
次に、光受信側において、光ファイバ伝送路１０９から出力された光多重信号ｈ’を光受信機１１０に入力して電気信号ｉに変換する。この電気信号ｉには、光変調信号ｆを直接検波した周波数成分と、光変調信号ｆと光副搬送波ｇの自己ヘテロダイン検波成分とが含まれている。また、直接検波成分には伝送信号ｅと等しい周波数スペクトル成分が含まれ、自己ヘテロダイン検波成分には伝送信号ｅを周波数｜ｎ１−ｎ２｜×ｆｍだけ高周波域にアップコンバートした周波数成分が含まれている。
そして、上記電気信号ｉを分波器１１１に入力して、伝送信号ｅと等しい周波数スペクトル成分を持つ電気信号ｊと、伝送信号ｅを周波数｜ｎ１−ｎ２｜×ｆｍだけ高周波域にアップコンバートした周波数スペクトル成分を持つ電気信号ｋとに分離して出力する。
【０００７】
【発明が解決しようとする課題】
ところで、上記光受信側において出力される、一方の電気信号ｊの振幅は光搬送波ｄの光電力に比例し、他方の電気信号ｋの振幅は光搬送波ｄの光振幅、および光副搬送波ｇの光振幅に比例する。光受信機１１０の熱雑音が支配的な場合、電気信号ｊおよび電気信号ｋのＣＮ比（搬送波振幅対雑音振幅比）を共に高くするためには、光変調器１０３により生成される光搬送波ｄおよび光副搬送波ｇの光電力を共に高くする必要がある。
【０００８】
しかし、上述したような従来の光ファイバ伝送装置においては、伝送信号のＣＮ比とアップコンバート伝送信号のＣＮ比とを別々に調整することができず、一方のＣＮ比を最大にすると、もう一方のＣＮ比が最大点からずれてしまうという間題がある。
【０００９】
このような従来技術における問題点について、上記光変調器１０３として単電極型マッハ・ツェンダ光強度変調器を使用した場合を例に、図８〜図１０を用いて説明する。図８は単電極型マッハ・ツェンダ光強度変調器の概要（同図（ａ））と、その直流バイアス特性の一例（同図（ｂ））を示す図、図９は上記光変調器１０３に入力する電気信号ｂの直流バイアス値を図８中のＰ点（図９（ａ））、Ｑ点（図９（ｂ））、Ｒ点（図９（ｃ））とし、電気信号ｂの高周波信号振幅を変えたときの光変調信号ｃの各周波数成分の光電力を示す図である。なお、図９中の各縦軸は、上記光信号ａの光電力を基準とした相対値を表している。また、図１０は光搬送波ｄと光副搬送波ｇの光電力が共に高くなるように、光変調信号ｃの周波数成分のうち、光電力の最も高い周波数成分を光搬送波ｄ、２番目に高い周波数成分を光副搬送波ｇに割り当て、光受信後の電気信号ｊ（直接検波成分）および電気信号ｋ（自己ヘテロダイン検波成分）の電力を計算した結果を示す図である。なお、図１０の縦軸は、光電力０ｄＢｍの光信号を直接検波したときの電力を基準とした相対値を表している。
【００１０】
上述したように従来の光ファイバ伝送装置においては、１つの光変調信号ｃから光搬送波ｄと光副搬送波ｇの両方を生成している。このため、光変調器１０３の動作点である直流バイアス点や、高周波信号の振幅を変えると、光搬送波ｄと光副搬送波ｇの光電力が同時に変わってしまう。このため、光搬送波ｄの光電力が最大となる動作点と、光副搬送波ｇの光電力が最大となる動作点が一致しない限り、電気信号ｊと電気信号ｋの電力を同時に最大化することができない。
【００１１】
図１０に示すように、電気信号ｋの相対電力は、直流バイアスをＲ点としたときに最大値−２６ｄＢが得られるが、このときの電気信号ｊの相対電力は−１７ｄＢであり、電気信号ｊの相対電力の最大値−１２ｄＢより低くなってしまう。
【００１２】
本発明は、このような課題に鑑みなされたものであり、伝送信号のＣＮ比とアップコンバート伝送信号のＣＮ比とを互いに独立に調整することが可能で、両者のＣＮ比を同時に最大化し得る光ファイバ伝送装置を提供することを目的とする。
【００１３】
【課題を解決するための手段】
上記課題を解決するため本発明の光ファイバ伝送装置は、伝送信号を含む多重信号を光ファイバ伝送し、光受信側で該伝送信号と、この伝送信号がアップコンバートされてなるアップコンバート伝送信号とに分離する光ファイバ伝送装置において、光源からの光波を複数に分岐する光波分岐手段と、第１の光変調器を用い、前記光波分岐手段で分岐された光波のうちの少なくとも１つを前記伝送信号により変調して、光変調信号を生成する光変調信号生成手段と、第２の光変調器を用い、前記光波分岐手段から出力されたその余の光波のうちの少なくとも１つを所定の周波数信号により変調して、光副搬送波を生成する光副搬送波生成手段と、前記光変調信号生成手段により生成された光変調信号と前記光副搬送波生成手段により生成された光副搬送波とを合波して、光多重信号を生成する光多重信号生成手段とを備えてなり、該光多重信号生成手段で生成された前記光多重信号を光ファイバ伝送することを特徴とするものである。
【００１４】
また、上記本発明の光ファイバ伝送装置においては、光ファイバ伝送された前記光多重信号を電気信号に変換し、変換された該電気信号から前記伝送信号と前記アップコンバート伝送信号の少なくとも一方を分離して出力する第１の光受信手段を備えることができる。あるいは、光ファイバ伝送された前記光多重信号を光ファイバ伝送路内で複数に分岐する光多重信号分岐手段と、該光多重信号分岐手段で分岐された光多重信号のうちの少なくとも１つを電気信号に変換し、変換された該電気信号から前記伝送信号のみを分離して出力する第２の光受信手段と、前記光多重信号分岐手段から出力されたその余の光多重信号のうちの少なくとも１つを電気信号に変換し、変換された該光ファイバ伝送された前記光多重信号を電気信号に変換し、変換された該電気信号から前記アップコンバート伝送信号のみを分離して出力する第３の光受信手段とを備えるようにしてもよい。
【００１５】
【発明の実施の形態】
以下、本発明の実施形態について、図面を用いて詳細に説明する。
（第１実施形態）
まず、図１を用いて本発明の第１実施形態について説明する。図１は本発明の第１実施形態に係る光ファイバ伝送装置の概略構成を示す図である。
図１に示す光ファイバ伝送装置は、光送信側において、レーザ光源１と、光カプラ２で構成される光源光波分岐手段と、第１光変調器３を備えてなる光変調信号生成手段と、第２光変調器４、電気信号発生器５、光バンドパスフィルタ６を備えてなる光副搬送波生成手段と、光カプラ７で構成される光多重信号生成手段とを備えており、光ファイバ伝送路８を挟んだ光受信側において、光受信機９および分波器１０を備えてなる第１の光受信手段を備えている。
【００１６】
光送信側に設置された上記レーザ光源１は、発振周波数ｆｃ、無変調の光波（光搬送波）ａを出力する。出力された光搬送波ａは、上記光カプラ２に入力され、この光カプラ２において光搬送波Ａ１と光搬送波Ａ２とに分岐されて、それぞれ出力される。
光カプラ２から出力された光搬送波Ａ１は、上記第１光変調器３に入力され、この第１光変調器３において中心周波数ｆｓ、帯域Δｆｓを持つ伝送信号Ｂにより変調されて、光変調信号Ｃとして出力される。
【００１７】
一方、光カプラ２から出力された光搬送波Ａ２は、上記第２光変調器４に入力される。この第２光変調器４には、上記電気信号発生器５から、直流バイアスを付加したミリ波帯域の高周波信号Ｄが入力され、上記光搬送波Ａ２は、この高周波信号Ｄにより変調され、複数のスペクトル成分が含まれる光信号Ｅとして出力される。なお、上記高周波信号Ｄの発振周波数ｆｍは、上記伝送信号Ｂの上限周波数ｆｓ＋Δｆｓ／２の２倍より高い値に設定される。
【００１８】
上記光信号Ｅは、同調周波数ｆｃ＋ｎ×ｆｍ（ｎは整数）の上記光バンドパスフィルタ６に入力され、この光バンドパスフィルタ６により単一のスペクトル成分を持つ光副搬送波Ｆが、ろ波されて出力される。
【００１９】
上記光変調信号Ｃおよび上記光副搬送波Ｆは、上記光カプラ７に入力され、この光カプラ７により互いに合波されて、光多重信号Ｇとして出力される。そして、出力された光多重信号Ｇは、上記光ファイバ伝送路８を介して光受信側へと伝送される。
【００２０】
光受信側においては、伝送後の光多重信号Ｇ’が光受信機９に入力され、この光受信機９より電気信号Ｈを出力する。ここで光受信機９は、（ｆｓ−Δｆｓ／２）以上、かつ（ｎ×ｆｍ＋ｆｓ＋Δｆｓ／２）以下の周波数範囲で平坦な応答特性を有している。また、上記電気信号Ｈには、上記伝送信号Ｂと同じスペクトル成分と共に、この伝送信号Ｂを周波数ｎ×ｆｍだけ高周波域に周波数変換したスペクトル成分が含まれている。
【００２１】
上記光受信機９から出力された上記電気信号Ｈは、上記分波器１０に入力され、この分波器１０において、上記伝送信号Ｂと同じスペクトル成分を持つ電気信号（伝送信号に対応した電気信号）Ｉと、上記伝送信号Ｂをアップコンバートした周波数成分を持つ電気信号（アップコンバート伝送信号に対応した電気信号）Ｊとに分離されて出力される。
【００２２】
なお、上記第１光変調器３および第２光変調器４を、共に両側帯波光強度変調器としたときの電力スペクトルを図２〜図４に示す。図２は上述の光搬送波Ａ１（同図（ａ））、伝送信号Ｂ（同図（ｂ））、光変調信号Ｃ（同図（ｃ））の各電力スペクトルの一例をそれぞれ示す図、図３は上述の光搬送波Ａ２（同図（ａ））、高周波信号Ｄ（同図（ｂ））、光信号Ｅ（同図（ｃ））の各電力スペクトル、および光副搬送波Ｆの電力スペクトルと光バンドパスフィルタ６の透過特性（同図（ｄ））の一例をそれぞれ示す図、図４は上述の光多重信号Ｇ’（同図（ａ））、電気信号Ｉ（同図（ｃ））、電気信号Ｊ（同図（ｄ））の各電力スペクトル、および電気信号Ｈの電力スペクトルと分波器１０の通過特性（同図（ｂ））の一例をそれぞれ示す図である。
【００２３】
（第２実施形態）
次に、図５を用いて本発明の第２実施形態について説明する。図５は本発明の第２実施形態に係る光ファイバ伝送装置の概略構成を示す図である。なお、以下の説明では、上記第１実施形態装置と同じ構成要素については、図１で用いた符号と同一の符号を図５でも用いることとし、その詳細な説明は省略する。
【００２４】
図５に示すように、この第２実施形態に係る光ファイバ伝送装置は、レーザ光源１、光カプラ２、第１光変調器３、第２光変調器４、電気信号発生器５、光バンドパスフィルタ６および光カプラ７で構成される光送信側の構成、および生成された上記光多重信号Ｇを、光ファイバ伝送路８を用いて光受信側に伝送する動作については、上述した第１実施形態装置と同じである。
異なる点は、本実施形態装置が、光カプラ１１で構成される光多重信号分岐手段と、光受信機１４で構成される第２の光受信手段と、光受信機１５で構成される第３の光受信手段とを備えている点である。
【００２５】
すなわち、本実施形態装置においては、光ファイバ伝送された上記光多重信号Ｇ’が、光カプラ１１を用いて光ファイバ伝送路８内で２つに分岐されて、光ファイバ伝送路１２と光ファイバ伝送路１３にそれぞれ入力される。
【００２６】
光ファイバ伝送路１２から出力された上記光多重信号Ｇ１’は、周波数が、（ｆｓ−Δｆｓ／２）以上、（ｆｓ＋Δｆｓ／２）以下の範囲で平坦な応答特性を有する上記光受信機１４に入力されて上記伝送信号Ｂと同じスペクトル成分を持つ上記電気信号Ｉに変換される。
【００２７】
一方、光ファイバ伝送路１３から出力された上記光多重信号Ｇ２’は、周波数が、（ｎ×ｆｍ＋ｆｓ−Δｆｓ／２）以上、（ｎ×ｆｍ＋ｆｓ＋Δｆｓ／２）以下の範囲で平坦な応答特性を有する上記光受信機１５に入力されて、上記伝送信号Ｂをアップコンバートした周波数成分を持つ上記電気信号Ｊに変換される。
【００２８】
上述したように、第１、第２の実施形態に係る光ファイバ伝送装置では、レーザ光源１からの搬送波Ａを光カプラ２において２つに分岐し、分岐された一方の搬送波Ａ１を第１光変調器３に入力し伝送信号Ｂにより変調して光変調信号Ｃを生成する。また、光カプラ２において分岐された他方の搬送波Ａ２を第２光変調器４に入力し高周波信号Ｄにより変調して光副搬送波Ｆを生成する。これにより、光搬送波Ａ１の光電力は常に一定とした状態で、第２光変調器４の動作点を変えて光副搬送波Ｆの光電力のみを自由に調整することが可能である。
【００２９】
図８（ａ）に示す従来技術と同じ光変調器を用いて、直流バイアスを同図（ｂ）のＲ点に設定したときの、受信後の直接検波成分と自己ヘテロダイン検波成分の電力を図６に示す。図６に示すように、高周波信号振幅を変えたとき、直接検波成分の電力は常に一定であり、自己ヘテロダイン検波成分の電力のみ変化している。したがって、光変調器の動作点や高周波信号の振幅を変えて光副搬送波の光電力を自由に調整することが可能となることがわかる。
【００３０】
なお、この例では、直接検波成分の電力は−１２ｄＢ、自己ヘテロダイン検波成分の電力は最大−２３ｄＢとなっており、図１０（ｃ）に示す従来技術におけるそれぞれの電力の最大値より大きな値が得られることが確かめられた。
【００３１】
また、上記実施形態装置では、図７に示す従来装置においては必要となる、光搬送波をろ波するための光バンドパスフィルタ１０５が不要となる。さらに、光変調信号の生成に用いる光搬送波に不要なスペクトル成分を全く含まないため、光多重信号を生成するときに不要なスペクトル成分と光副搬送波との光干渉に基づくノイズ成分が発生しないという効果も奏する。
【００３２】
以上、本発明の実施形態について詳述したが、本発明は上記実施形態の態様に限定されるものではなく、種々の態様の変更を行なうことが可能である。
例えば、上記実施形態では、光源からの光波を２つに分岐しているが、光源からの光波を３つ以上の光波に分岐し、分岐された複数の光波をそれぞれ別の光変調器で変調して複数の光副搬送波を生成して、これらを光変調信号と多重して伝送するようにすることも可能である。
【００３３】
また、上記実施形態では、光副搬送波がミリ波帯域の高周波信号により変調されたものとされているが、光副搬送波が他の周波数帯域の周波数信号により変調されてなるものについても本発明を適用することが可能である。
【００３４】
【発明の効果】
以上詳細に説明したように、本発明の光ファイバ伝送装置によれば、光源からの光波を分岐し、そのうちの１つの光波を光変調器に入力し伝送信号で変調して光変調信号を生成すると共に、他の光波を別の光変調器に入力し所定の周波数信号で変調して光副搬送波を生成し、これらを合波して光多重信号を生成し、この光多重信号を光ファイバ伝送するように構成されていることにより、以下のような効果を奏する。
【００３５】
すなわち、伝送信号の光搬送波の光電力と、光副搬送波の光電力とを、各光変調器の動作点や高周波信号の振幅等を変えることにより、別々に独立して調整することが可能となる。これにより、光受信側において直接検波された電気信号のＣＮ比と、自己ヘテロダイン検波されたアップコンバートされた電気信号のＣＮ比とを別々に調整することが可能となる。このため、両者のＣＮ比を共に最大化することが可能となると共に、両者のＣＮ比に着目した回線設計を簡単に行なうことが可能となる。
【図面の簡単な説明】
【図１】本発明の第１実施形態に係る光ファイバ伝送装置の概略図
【図２】図１に示す光搬送波Ａ１（ａ）、伝送信号Ｂ（ｂ）、光変調信号Ｃ（ｃ）の各電力スペクトルの一例を示す図
【図３】図１に示す光搬送波Ａ２（ａ）、高周波信号Ｄ（ｂ）、光信号Ｅ（ｃ）、光副搬送波Ｆ（ｄ）の各電力スペクトルの一例、および光バンドパスフィルタの透過特性（ｄ）の一例を示す図
【図４】図１に示す光多重信号Ｇ’（ａ）、電気信号Ｈ（ｂ）、電気信号Ｉ（ｃ）、電気信号Ｊ（ｄ）の各スペクトルの一例、および分波器の通過特性（ｂ）の一例を示す図
【図５】本発明の第２実施形態に係る光ファイバ伝送装置の概略図
【図６】本発明における受信後の直接検波成分と自己ヘテロダイン検波成分の電力を示す図
【図７】従来の光ファイバ伝送装置の概略図
【図８】単電極型マッハ・ツェンダ光強度変調器の概要図（ａ）および直流バイアス特性を示す図（ｂ）
【図９】図７に示す光変調信号ｃの各周波数成分の光電力を示す図
【図１０】従来技術における受信後の直接検波成分と自己ヘテロダイン検波成分の電力を示す図
【符号の説明】
１，１０１　　　　　　　　　　レーザ光源
２，７，１０４，１０８　　　　光カプラ
３　　　　　　　　　　　　　　第１光変調器
４　　　　　　　　　　　　　　第２光変調器
５，１０２　　　　　　　　　　電気信号発生器
６，１０５，１０６　　　　　　光バンドパスフィルタ
８，１２，１３，１０９　　　　光ファイバ伝送路
９，１４，１５，１１０　　　　光受信機
１０，１１１　　　　　　　　　　分波器
１０３，１０７　　　　　　　　　光変調器
Ａ，Ａ１，Ａ２，ａ，ｄ　　　　　光搬送波
Ｂ，ｅ　　　　　　　　　　　　　伝送信号
Ｃ，ｆ　　　　　　　　　　　　　光変調信号
Ｄ，ｂ　　　　　　　　　　　　　高周波信号
Ｅ，ｃ，ｃ１，ｃ２　　　　　　　光信号
Ｆ，ｇ　　　　　　　　　　　　　光副搬送波
Ｇ，Ｇ’，Ｇ１’，Ｇ２’，ｈ，ｈ’　光多重信号
Ｉ，ｊ　　　　　　　　　　　　伝送信号に対応した電気信号
Ｊ，ｋ　　　　　　　　　　　　アップコンバート伝送信号に対応した電気信号
ｉ　　　　　　　　　　　　　　電気信号
【図１】
2004072407.tif 000003
【図２】
2004072407.tif 000004
【図３】
2004072407.tif 000005
【図４】
2004072407.tif 000006
【図５】
2004072407.tif 000007
【図６】
2004072407.tif 000008
【図７】
2004072407.tif 000009
【図８】
2004072407.tif 000010
【図９】
2004072407.tif 000011
【図１０】
2004072407.tif 000012